(57)【要約】【課題】本発明は、シンプルな構成により高温維持された給紙部の上部から画像形成部に侵入する熱を防止し、安定して画像形成できる画像形成装置を提供することを目的にする。【解決手段】本発明は、画像形成部を含む上本体と給紙トレイを含む下本体と下本体の内部を加熱して給紙トレイに積載された用紙を除湿する除湿手段とを有する共に、更に上本体及び下本体を上下方向に仕切る仕切体と、仕切体の内部に外気を送風する送風手段とを備えることにより、上記課題の解決を可能にする。【選択図】図１
2012068288.tif 000002
【特許請求の範囲】
【請求項１】
用紙上に画像を形成する画像形成部を含む上本体と、
前記上本体に対し下方に配設され、複数の用紙が積載される給紙トレイを含む下本体と、
前記上本体及び前記下本体を上下方向に仕切る仕切体と、
前記下本体の内部を加熱して前記給紙トレイに積載された用紙を除湿する除湿手段と、を有する画像形成装置であって、
前記仕切体は、前記上本体の底部を遮蔽する第１部材と、前記第１部材に対し離間して前記下本体の上部を遮蔽する第２部材と、を備え、
前記第１部材と前記第２部材との間に形成された空間にエアを送風する送風手段を有することを特徴とする画像形成装置。
【請求項２】
前記第１部材と前記第２部材との間に形成された空間を流れるエアの向きを規制するガイドリブを有することを特徴とする請求項１に記載の画像形成装置。
【請求項３】
前記仕切体が本体骨格であることを特徴とする請求項１又は２に記載の画像形成装置。
【請求項４】
前記送風手段によって送風されるエアを前記上本体に案内する第１ダクトを有し、前記第１ダクトで案内されたエアを前記上本体に配設された定着装置の下流側の用紙搬送路を通過する用紙に吹き付けることを特徴とする請求項１から３までの何れか１項に記載の画像形成装置。
【請求項５】
前記送風手段によって送風されるエアを前記上本体に配設された定着装置に案内する第２ダクトを有し、前記定着装置内を通過する用紙に対し前記第２ダクトで案内されたエアを吹き付けて用紙分離を補助することを特徴とする請求項１から３までの何れか１項に記載の画像形成装置。
【発明の詳細な説明】
【技術分野】
【０００１】
本発明は、複写機、プリンタ、ファクシミリ等の画像形成装置に係り、給紙部を備えている画像形成装置に関する。
【背景技術】
【０００２】
画像形成装置に使用される用紙は、周囲の環境や保管状態等により周囲の湿気を吸収し易い。給紙部に積載した用紙束から一枚の用紙を送り出して画像形成を行う場合に高湿環境下で吸湿した用紙を用いると、用紙と用紙との間に介在する水分により用紙間の密着力が強くなり、用紙を搬送する場合に、複数枚が同時に搬送されてしまう、いわゆる重送が生じたり、用紙搬送タイミングの遅れが生じたりするという問題がある。
【０００３】
近年、カタログやポスターに用いる印刷物を出力する場合に光沢度の高い画像を形成することが要求されてきている。このような場合用いられる塗工紙は表面に樹脂等を被膜して普通紙に比べて表面平滑性を高めている、そのため塗工紙間の密着性が普通紙に比べて高く、給紙部から給紙する際に、前述の重送や用紙搬送のタイミングの遅れが生じ易くなる。特に、高湿環境下では用紙の吸湿により用紙間の密着性が強くなるために、これらの問題は一層発生し易くなる。
【０００４】
これらの問題に対して、特許文献１及び特許文献２に記載の画像形成装置では、給紙部を密閉構造にし、更に給紙部の内部に除湿ヒータ等で調湿して給紙部に積載された多種多様な種別の用紙を除湿している。
【０００５】
特許文献１に記載の画像形成装置は、カバー部材及び本体下部フレーム等により装置の内部を密閉し、装置本体の上部機構部と複数の給紙トレイを有する給紙部との間に仕切り板を配置する構成を有し、給紙装置の内部に外気等が侵入しないような工夫されている。更に、本体下部フレームに設置した発熱体から出力される熱を対流により給紙装置の内部に循環させ、給紙部の各給紙トレイに収容される用紙を除湿している。
【０００６】
特許文献２に記載の画像形成装置は、画像形成部に用紙を搬送する搬送路を開閉可能なシャッターで塞ぐことにより、内部に除湿ヒータが設けられた給紙部の密閉性を高めて、複数の給紙トレイに積載した用紙の除湿効率を向上させている。
【先行技術文献】
【特許文献】
【０００７】
【特許文献１】特開平７−１５７１２０号公報
【特許文献２】特開２００６−２６４９１８号公報
【発明の概要】
【発明が解決しようとする課題】
【０００８】
ところが、塗工紙のような平滑紙を用紙間の密着を軽減させて安定して給紙させるには、給紙部内を５０℃程度にまで昇温させることが必要となり、特許文献１、及び２に記載の画像形成装置では給紙部上部の仕切り板が５０℃程度以上になり、仕切り板からの熱の移動を受けて画像形成部が昇温し、感光体及び感光体周辺プロセスに係る問題が発生する。特に、画像形成部に低温度融解トナーが用いられる場合にはこれらの問題が顕著になる。
【０００９】
この点に関し、仕切り板の断熱性を高める、または画像形成部の冷却を強化することが考えられるが、このような手段では装置が複雑になるという問題もある。
【００１０】
本発明は、シンプルな構成により高温維持された給紙部の上部から画像形成部に侵入する熱を防止し、安定して画像形成できる画像形成装置を提供することを目的にする。
【課題を解決するための手段】
【００１１】
本発明は下記の構成により上記の目的を達成する。
【００１２】
１．用紙上に画像を形成する画像形成部を含む上本体と、
前記上本体に対し下方に配設され、複数の用紙が積載される給紙トレイを含む下本体と、
前記上本体及び前記下本体を上下方向に仕切る仕切体と、
前記下本体の内部を加熱して前記給紙トレイに積載された用紙を除湿する除湿手段と、を有する画像形成装置であって、
前記仕切体は、前記上本体の底部を遮蔽する第１部材と、前記第１部材に対し離間して前記下本体の上部を遮蔽する第２部材と、を備え、
前記第１部材と前記第２部材との間に形成された空間にエアを送風する送風手段を有することを特徴とする画像形成装置。
【００１３】
２．前記第１部材と前記第２部材との間に形成された空間を流れるエアの向きを規制するガイドリブを有することを特徴とする前記１に記載の画像形成装置。
【００１４】
３．前記仕切体が本体骨格であることを特徴とする前記１又は２に記載の画像形成装置。
【００１５】
４．前記送風手段によって送風されるエアを前記上本体に案内する第１ダクトを有し、前記第１ダクトで案内されたエアを前記上本体に配設された定着装置の下流側の用紙搬送路を通過する用紙に吹き付けることを特徴とする前記１から３までの何れか１項に記載の画像形成装置。
【００１６】
５．前記送風手段によって送風されるエアを前記上本体に配設された定着装置に案内する第２ダクトを有し、前記定着装置内を通過する用紙に対し前記第２ダクトで案内されたエアを吹き付けて用紙分離を補助することを特徴とする前記１から３までの何れか１項に記載の画像形成装置。
【発明の効果】
【００１７】
本発明は、画像形成部を含む上本体と給紙トレイを含む下本体と下本体の内部を加熱して給紙トレイに積載された用紙を除湿する除湿手段とを有する共に、更に上本体及び下本体を上下方向に仕切る仕切体と、仕切体の内部に外気を送風する送風手段とを備えることにより、シンプルな構成により高温維持された給紙部の上部から画像形成部に侵入する熱を防止し、安定して画像形成できる画像形成装置の提供を可能にする。
【図面の簡単な説明】
【００１８】
【図１】本発明に係る画像形成装置Ａを示す断面構成図である。
【図２】本発明に係る仕切体９０の構成を示す図１のＡＡ断面図である。
【図３】本発明に係る画像形成装置Ａの他の実施形態（その１）である。
【図４】本発明に係る画像形成装置Ａの他の実施形態（その２）である。
【図５】本発明に係る仕切体９０の形態の事例を示す、模式図である。
【発明を実施するための形態】
【００１９】
以下、本発明を実施するための形態を説明する。なお、本発明の構成は以下の実施の形態に限定されるものではなく、本発明の技術的範囲内において適宜変更可能である。
【００２０】
本発明の画像形成装置は記録材に画像を形成するものであれば良く、複写機、プリンタ、ＦＡＸ（ファクシミリ）、複合多機能端末（ＭＦＰ：Ｍｕｌｔｉ−Ｆｕｎｃｔｉｏｎ  Ｐｅｒｉｐｈｅｒａｌ）等が挙げられる。以下タンデム型フルカラー複写機と称せられる画像形成装置Ａを例に取り説明する。
【００２１】
図１は、本発明に係る画像形成装置Ａの１例を示す断面構成図である。
【００２２】
画像形成装置Ａは、画像形成部３０を含む上本体Ａ１と、用紙を積載する複数の給紙トレイを含む下本体Ａ２とで構成される。
【００２３】
画像形成装置Ａで用いられる記録材は紙、ＯＨＰシート等が挙げられ、以下記録材を用紙Ｐと記す。
【００２４】
［上本体Ａ１］
画像形成装置Ａの上本体Ａ１は、原稿画像読取装置１０と原稿搬送装置２０と画像形成部３０と用紙搬送部４０と定着装置５０とを有する。
【００２５】
上本体Ａ１の上部には、原稿画像読取装置１０と原稿搬送装置２０が配置されており、原稿搬送装置２０により搬送される原稿ｄの画像が原稿画像読取装置１０の光学系によりラインイメージセンサＣＣＤ上に結像されて読み込まれる。
【００２６】
ラインイメージセンサＣＣＤにより光電変換されたアナログ信号は、図示しない画像処理部において、アナログ処理、Ａ／Ｄ変換、シェーディング補正、画像圧縮処理等が行われ、Ｙ（イエロー）、Ｍ（マゼンタ）、Ｃ（シアン）、Ｋ（黒）色毎のデジタル画像データとなる。
【００２７】
画像形成部３０は、Ｙ、Ｍ、Ｃ、Ｋの各色に対応する像担持体としてのドラム状の感光体（以下感光体とも記す）１Ｙ、１Ｍ、１Ｃ、１Ｋと有し、各感光体１Ｙ、１Ｍ、１Ｃ、１Ｋの周辺に配設される帯電装置２Ｙ、２Ｍ、２Ｃ、２Ｋと、露光装置３Ｙ、３Ｍ、３Ｃ、３Ｋと、現像装置５Ｙ、５Ｍ、５Ｃ、５Ｋと、を有する。
【００２８】
帯電装置２Ｙ、２Ｍ、２Ｃ、２Ｋは各色の感光体１Ｙ、１Ｍ、１Ｃ、１Ｋを一様に帯電する。露光装置３Ｙ、３Ｍ、３Ｃ、３Ｋは、各色のデジタル画像データに基づいて感光体１Ｙ、１Ｍ、１Ｃ、１Ｋに潜像を形成する。
【００２９】
現像装置５Ｙ、５Ｍ、５Ｃ、５Ｋは、新規トナーを補給する各色のトナー補給装置４Ｙ、４Ｍ、４Ｃ、４Ｋから各色のトナーが供給され、感光体１Ｙ、１Ｍ、１Ｃ、１Ｋ上に形成された各色に対応する潜像をトナーにより顕像化して、感光体１Ｙ、１Ｍ、１Ｃ、１Ｋ上にトナー像を形成する。ここでは現像装置５Ｙ、５Ｍ、５Ｃ、５Ｋは図示のように垂直方向に縦列配置されている。
【００３０】
画像形成部３０は、各色の感光体１Ｙ、１Ｍ、１Ｃ、１Ｋ上に形成された各色のトナー像を用紙Ｐに転写して転写装置６と、各色の感光体１Ｙ、１Ｍ、１Ｃ、１Ｋを清掃するクリーニング装置７Ｙ、７Ｍ、７Ｃ、７Ｋを有する。転写装置６は中間転写体６０と、１次転写ローラ６Ｙ、６Ｍ、６Ｃ、６Ｋと、２次転写ローラ６５と、転写クリーニング部６７を有し、中間転写体６０は、感光体１Ｙ、１Ｍ、１Ｃ、１Ｋの図示左側方に配設され、ローラ６１、６２、６３、６４を巻回して回動可能に張架された半導電性エンドレスベルト状であり、図示しない駆動装置に連結するローラ６１で駆動され矢印方向に回動する。
【００３１】
１次転写ローラ６Ｙ、６Ｍ、６Ｃ、６Ｋは、それぞれ対応する感光体１Ｙ、１Ｍ、１Ｃ、１Ｋに中間転写体６０を押圧して、感光体１Ｙ、１Ｍ、１Ｃ、１Ｋ上に形成された各色のトナー画像を中間転写体６０上に逐次転写して、合成されたカラー画像を中間転写体６０上に形成する。
【００３２】
２次転写ローラ６５は、用紙搬送部４０を経由して搬送される用紙Ｐに中間転写体上の各色トナー像を一括転写して用紙Ｐ上に各色トナー像からなる合成画像を形成する。
【００３３】
転写クリーニング部６７は、用紙Ｐに転写されず中間転写体６０上に残留した残トナーを除去する。
【００３４】
用紙搬送部４０は上本体Ａ１の下方に配設され、複数の中間ローラ４０５、４０６、４０７、４０８、レジストローラ４０９、排紙ローラ４１１、及び後述する３つの用紙搬送路を含み、下本体Ａ２の給紙部７０から給送された用紙Ｐを２次転写ローラ６５に搬送し、その後に用紙Ｐを定着装置５０に搬送する。
【００３５】
定着装置５０は、加熱ローラ５１と圧着ローラ５２とを有し、カラー画像が転写された用紙Ｐを定着処理して定着排紙ローラ５３から用紙搬送部４０の排紙系に排出する。
【００３６】
用紙搬送部４０の排紙系は３つの用紙搬送路を有し、印刷ジョブ及びそのプロセスに応じて定着処理済みの用紙Ｐの搬送は各用紙搬送路に切り替える。
【００３７】
第１搬送路は矢印ａに示す搬送路で、定着排紙ローラから排出される用紙Ｐを排紙ローラ４１１にストレートに搬送し、用紙Ｐを排紙トレイ４１０上に排出する。
【００３８】
第２搬送路は矢印ｂ及びｃで示す搬送路を含み、定着排紙ローラ５３から排出された用紙Ｐをローラ４１２，４１３により反転して排紙トレイ４１０上に排出する。
【００３９】
第３搬送路は矢印ｂ、ｄ及びｅで示す搬送路で構成され、定着処理済みの用紙Ｐを矢印ｂの搬送路に送り、次に矢印ｄの搬送路に送り用紙Ｐをローラ４１４で反転させて矢印ｅの搬送路に送り、両面記録のために反転された用紙Ｐを再度画像形成部３０に搬送する。
【００４０】
［下本体Ａ２］
下本体Ａ２は給紙トレイとしての第１給紙トレイ７１Ａ及び第２給紙トレイ７１Ｂを含む給紙部７０と、下本体Ａ２内のエアを加熱して第１給紙トレイ７１Ａおよび第２給紙トレイ７１Ｂに積載する用紙Ｐを除湿する除湿手段８０と、を有する。
【００４１】
給紙部７０は、用紙を多数に積載可能で、且つ平滑紙を含む多種多様な種別の用紙を確実に１枚毎に給紙できる第１給紙ユニット７０Ａと、大サイズの普通紙を確実に給紙できる第２給紙ユニット７０Ｂと有する。
【００４２】
第１給紙ユニット７０Ａは、第１給紙トレイ７１Ａ、第１用紙浮揚手段７２、第２用紙浮揚手段７３、吸着搬送手段７４、及び用紙押さえ手段７５で主に構成されている。
【００４３】
第１給紙トレイ７１Ａは非図示の昇降機構で昇降され、約２０００枚の用紙Ｐを載置可能である。
【００４４】
第１用紙浮揚手段７２は第１給紙トレイ７１Ａに積載された用紙Ｐの先端部に対して用紙搬送方向の下流側からエアを吹きつけて、最上位の用紙Ｐを浮揚させる。第２用紙浮揚手段７３は第１給紙トレイ７１Ａに積載された用紙Ｐの両側端部に対して用紙搬送方向に直交する用紙幅方向からエアを吹きつけて、最上位の用紙Ｐを浮揚させる。
【００４５】
吸着搬送手段７４はエアを内部に吸引させて、第１用紙浮揚手段７２及び第２用紙浮揚手段７３により浮揚された最上位の用紙Ｐを吸着すると共に、用紙Ｐを吸着しながら用紙搬送方向に搬送する。
【００４６】
用紙押さえ手段７５は、吸着搬送手段７４に対し用紙搬送方向の上流側に位置し、積載用紙上面を押圧して、最上位の用紙Ｐを上方から規制して、最上位の用紙Ｐが広い範囲で浮揚して用紙間のエア捌きをより確実に達成可能にしている。
【００４７】
第１給紙トレイ７１Ａに積載された用紙Ｐの位置は、つぎの４つの規制手段で規制される。一対の幅規制手段７６は用紙幅方向に移動自在に設置され、用紙Ｐの両側を規制すると共に、上部の開口からエアを吹き出し第２用紙浮揚手段７３を兼ねる。
【００４８】
先端規制手段７７は第１給紙トレイ７１Ａに対し用紙搬送方向の下流側に固設されおり、用紙の先端部を規制し、後端規制手段７８は用紙搬送方向に移動自在に設置され、積載された用紙Ｐの後端部を軽く押圧して用紙Ｐの後端部を規制する。
【００４９】
吸着搬送手段７４に配設された吸引センサＰＳ１（不図示）が浮揚された最上位の用紙Ｐの吸着を検知すると、吸着された用紙Ｐを用紙搬送方向下流側の第１搬送ローラ７９１に搬送する。第１搬送ローラ７９１は吸着搬送手段７４の駆動と同期して回転駆動され、用紙Ｐを第２給紙搬送ローラ７９２に向けて搬送し、第２給紙搬送ローラ７９２と連係して用紙Ｐを所定タイミングで第１給紙ユニット７０Ａから上本体Ａ１の用紙搬送部４０に給紙する。
【００５０】
また、第１給紙トレイ７１Ａに積載された最上位の用紙Ｐの高さは、上限検知センサと昇降機構の制御により適正な高さに維持される。
【００５１】
第２給紙ユニット７０Ｂは、用紙を積載する第２給紙トレイ７１Ｂと、第２給紙トレイ７１Ｂに積載された用紙の最上位用紙Ｐを引き出すピックアップローラ７０１と、ピックアップローラ７０１で引き出された用紙Ｐを用紙搬送の下流方向に搬送する給紙ローラ７０２と、給紙ローラ７０２に圧接する圧接部において用紙Ｐの重送を防止する捌きローラ７０３と、を有する。
【００５２】
給紙ローラ７０２は非図示の駆動機構と連結してピックアップローラ７０１と協働して最上位の用紙Ｐを下流方向に搬送する。ピックアップローラ７０１は伝達ベルト７０４により給紙ローラ７０２側から駆動伝達を受けて図示において反時計方向に回転する。
【００５３】
また、捌きローラ７０３は非図示の付勢手段によって用紙搬送の上流方向の付勢力をピックアップローラ７０１で引き出された用紙Ｐに作用して用紙Ｐの重送を防止している。
【００５４】
３給紙搬送ローラ７０５は、給紙ローラ７０２で給紙された用紙Ｐを、所定タイミングで第２給紙ユニット７０Ｂから上本体Ａ１の用紙搬送部４０に給紙する。
【００５５】
除湿手段８０は、第１給紙トレイ７１Ａ及び第２給紙トレイ７１Ｂに対し図示における左側に固設されており、内部にヒータ８１とファン８２と有し、上部に位置する入口８３からエアを吸引し、下部に位置する出口８４から加熱されたエアを放出して、第１給紙トレイ７１Ａ及び第２給紙トレイ７１Ｂを含む下本体Ａ２内に加熱エアを循環させている。
【００５６】
また、下本体Ａ２は外部及び内部のエアが交換しないように密閉構造に配慮されており、除湿手段８０により下本体Ａ２の内部は全体的に等しい温度に加熱され、第１給紙トレイ７１Ａ内及び第２給紙トレイ７１Ｂ内の用紙Ｐは、用紙間の密着が給紙性能に支障ない程度に低減されるように、除湿される。
【００５７】
第１給紙ユニット７０Ａには温度センサＴＳ１が設けてあり、非図示の制御手段によって下本体Ａ２の内部が所定範囲の温度に維持されるようヒータ８１の駆動が制御されている。温度センサＴＳ１に代わって湿度センサを設け、湿度が所定値以下になるようにヒータ８１を駆動させるようにしてもよい。
【００５８】
下本体Ａ２の給紙部７０に収容される用紙Ｐは、画像形成時、非画像形成時に拘わらず、除湿手段８０によって常に周囲環境より高い温度のエアに曝され、十分に除湿され、常に安定給紙可能な状態にある。
【００５９】
［仕切体］
画像形成装置Ａの骨格には、上本体Ａ１と下本体Ａ２とを互いに上下に仕切る仕切体９０が固設されており、仕切体９０は、上本体Ａ１の底部を遮蔽する第１部材９０１と、下本体Ａ２の上部を遮蔽する第２部材９０２と、を備える。仕切体９０は、内部に第１部材９０１と第２部材９０２との間に形成された空間を有し、空間を通じてエアが水平方向に移動可能である。また、仕切体９０の図示における左右側方には外気と内気が交換可能な９０５、９０６で示す開口を有する。
【００６０】
第１部材９０１は、鉄等の金属板で下方が開口した開口部を有する箱型形状であり、画像形成装置Ａの本体骨格の一部を構成する。
【００６１】
第２部材９０２は、第１部材９０１と同様、鉄等の金属板で上方が開口した開口部を有する箱型形状であり、画像形成装置Ａの本体骨格の一部を構成する。
【００６２】
この実施形態においては、第１部材９０１の開口部と第２部材９０２の開口部とが溶接されている。すなわち、画像形成装置Ａの本体骨格の一部を構成する第１部材９０１と第２部材９０２の開口部同士が継ぎ合わされることによって、本体骨格の強度が高められている。
【００６３】
図示のように、仕切体９０は、下本体Ａ２の給紙部７０から上本体Ａ１の画像形成部３０に、用紙Ｐを搬送する用紙搬送路を設けるための切欠部９０３を有する。
【００６４】
切欠部９０３の近傍には、非通紙時に切欠部９０３を遮蔽して下本体Ａ２の加熱エアが上本体Ａ１に流入するのを抑制するためにシャッター９０４が配設されている。破線は給紙経路を開放する状態を示し、実線は給紙経路を遮蔽する状態を示す。
【００６５】
送風手段としての送風ファンＦ１は、図示において画像形成装置Ａの右側に配設され、仕切体９０の内部に、つまり第１部材９０１と第２部材９０２との間に形成された空間に、エアを右側から左側に向けて送風して、高温に加熱された第２部材９０２から二次的に放出される熱により第１部材９０１が加熱されることを防止している。
【００６６】
吸入口９０５から吸入された外気Ｇは仕切体９０の内部を通過する間に加熱されて排出口９０６から排出される。従って、第１部材９０１は図示においる左側が右側に比較して高くなるが、画像形成部３０への影響は軽微である。
【００６７】
以上のように、本発明に係る仕切体９０を備えた画像形成装置Ａは、下本体Ａ２内の全体を長期に渡り周囲環境より高い温度に加熱して給紙トレイ７１Ａ、７１Ｂの用紙Ｐを除湿して、多種多様な用紙を安定給紙できる共に、画像形成部３０への熱影響が解消されて、長期に渡り安定して画像形成できる。
【００６８】
図２は、本発明に係る仕切体９０の構成を示す図１のＡＡ断面図である。
【００６９】
後骨格１０１は、画像形成装置Ａの後方を支える板状の骨格である。前骨格１０２は画像形成装置Ａの前方を支える板状の骨格である。第１部材９０１は後骨格１０１及び前骨格１０２の面と直交する方向に後骨格１０１及び前骨格１０２に固設されて、画像形成装置Ａの高さ方向における中央部の立体強度を高めている。
【００７０】
ガイドリブ９０７（９０７ａ〜９０７ｉ）は第１部材９０１に固設され下方に伸びており、仕切体９０の内部を流れるエアの向きを規制する。このガイドリブ９０７によって仕切体９０全体にエアが行き渡るので、第１部材９０１全域の温度を均しながら、第１部材９０１を冷却することができる。また、ガイドリブ９０７は、第１部材９０１の立体強度を高め、第１部材９０１及び第２部材９０２に用いる板材の薄板化を達成可能にしている。
【００７１】
図５は、本発明に係る仕切体９０の第１部材９０１及び第２部材９０２の形態の事例を示す、模式図である。Ｌは、図２に示すように送風方向に直交する方向における第１部材９０１及び第２部材９０２の長さである。これに限定されることはなく、送風方向における長さでもよい。
【００７２】
このような形態で金属の板材を第１部材９０１に溶接等で固設することによって、立体強度及び冷却機能をより一層高めることが可能になる。
【００７３】
以上のように、本発明は係る仕切体９０は簡単な構成であり、且つ給紙トレイ７１Ａ、７１Ｂを含む下本体Ａ２のエアを高温度に効率的に維持すると共に、下本体Ａ２から上本体Ａ１への熱移動を防止して画像形成部３０の熱問題を解消可能にする。
【００７４】
［他の実施形態］
図３は、送風ファンＦ１によって仕切体９０の内部を送風する間に加熱された加熱エアを第１ダクトＤ１で上本体Ａ１の定着装置５０の付近に案内して、定着装置５０に対して下流側に位置する用紙搬送路を通過する用紙Ｐの全幅に渡って加熱エアを吹き付けて、定着装置５０で高温に加熱された用紙Ｐを穏やかに冷却して定着処理後の用紙歪みを低減することを可能にする画像形成装置Ａの他の実施形態である。
【００７５】
第１ダクトＤ１は第１分岐ダクトＤ１１と第２分岐ダクトＤ１２に分岐している。分岐点には加熱エアの流れを第１分岐ダクトＤ１１、あるいは第２分岐ダクトＤ１２に切り替える切替部材９１０を有する。切替部材９１０の実線の状態では加熱エアが第１分岐ダクトＤ１１を経て、排紙ローラ４１１の上流側に放出され、破線の状態では加熱エアが第２分岐ダクトＤ１２を経て、搬送ローラ４１２、４１３の間の用紙経路に放出される。
【００７６】
片面印刷時に、切替部材９１０は非図示の制御手段により実線の状態に切替られ、矢印ａで示す方向に排出される用紙Ｐに加熱エアを吹き付けて、定着処理後の用紙Ｐを穏やかに冷却する。
【００７７】
両面記録時、又は反転排紙時には、切替部材９１０は非図示の制御手段により破線の状態に切替られ、搬送ローラ４１２、４１３の間の用紙経路に通過する用紙Ｐに対し加熱エアを吹き付けて定着処理後の用紙Ｐを穏やかに冷却する。
【００７８】
図４は、送風ファンＦ１によって仕切体９０の内部を送風する間に加熱された加熱エアを第２ダクトＤ２で上本体Ａ１の定着装置５０の付近に案内して、加熱ローラ５１と圧着ローラ５２が圧接するニップから排出される用紙Ｐに加熱エアを吹き付けて加熱ローラ５１に対する用紙Ｐの分離を補助することを可能にする画像形成装置Ａの実施形態である。
【００７９】
仕切体９０の図示における左側の後方に配設された開口９０８にパイプ状の第２第２ダクトＤ２が嵌合している。第２ダクトＤ２の他端は定着装置５０の図示における左上方の開口９０９から定着装置５０に配設される。定着装置５０の左上方には開口９０９を含むチャンバー５４を有し、チャンバー５４には幅方向に渡って配設された吹出口ＳＬを有する。
【００８０】
仕切体９０内を経由した加熱エアは第２第２ダクトＤ２を経由して定着装置５０のチャンバー５４の吹出口ＳＬから放出される。そして、吹出口ＳＬから放出されるエアは、ニップの直後の加熱ローラ５１に吹き付けられ、定着装置５０のニップから排出される用紙Ｐと加熱ローラ５１の間に入り込み、用紙Ｐの加熱ローラ５１への巻き付きを防止する。
【符号の説明】
【００８１】
Ａ  画像形成装置
Ａ１  上本体
Ａ２  下本体
３０  画像形成部
５０  定着装置
７１Ａ  第１給紙トレイ（給紙トレイ）
７１Ｂ  第２給紙トレイ（給紙トレイ）
８０  除湿手段
９０  仕切体
９０１  第１部材
９０２  第２部材
９０５  送風ファン（送風手段）
９０７  ガイドリブ
Ｄ１  第１ダクト
Ｄ２  第２ダクト
【図１】
2012068288.tif 000003
【図２】
2012068288.tif 000004
【図３】
2012068288.tif 000005
【図４】
2012068288.tif 000006
【図５】
2012068288.tif 000007